(57)【特許請求の範囲】
【請求項１】
消火用給水配管のソケット部に接続されて、部屋の天井に設けられた天井開口から室内に望むヘッド本体と、
上記ヘッド本体にねじ係合して上記ヘッド本体を外力から保護するヘッドプロテクタと、
上記ヘッドプロテクタに設けられて、上記ヘッド本体からの散水の一部を所定の方向に向ける散水偏向装置と、
上記ヘッドプロテクタと上記天井開口との間に挟持されて上記ヘッドプロテクタと上記天井開口の周縁との間の間隙を覆うシーリングプレートとを備えたスプリンクラヘッドに於いて、
上記シーリングプレートに、該シーリングプレートから一体に延びて、上記ヘッドプロテクタを押圧する複数の片持ちバネを設けて、上記ヘッドプロテクタの上記ヘッド本体あるいはシーリングプレートに対する移動を防ぎ、もって上記散水偏向装置の向きの変化を防いだことを特徴とするスプリンクラヘッド。
【発明の詳細な説明】
【０００１】
【発明の属する技術分野】
この発明はスプリンクラヘッドに関するものであり、特にビルや住宅などの建造物の天井に設備されるスプリンクラ消火設備のスプリンクラヘッドに関するものである。
【０００２】
【従来の技術】
特開平１０−２７２２０１号公報に記載されたスプリンクラ消火設備に於いては、スプリンクラヘッドを外力から保護するヘッドプロテクタに散水偏向装置を設けることが記載されている。この散水偏向装置は、建造物の天井に取り付けられたスプリンクラヘッドから散水される消火用水のうち隣接のスプリンクラヘッドに向かう水の散水方向を偏向させることにより、隣接のスプリンクラヘッドが被水して作動不能にならないようにするものである。
【０００３】
この公知のスプリンクラヘッド１を図６に示す。図６に於いて、スプリンクラヘッド１は、消火用給水配管のソケット部２に接続されて、部屋の天井３に設けられた天井開口４から室内に望むヘッド本体５と、ヘッド本体５にねじ係合してヘッド本体５を外力から保護するヘッドプロテクタ６と、ヘッドプロテクタ６に設けられて、ヘッド本体５からの散水の一部を所定の方向に向けて、その散水距離を規制する規制体である散水偏向装置７と、ヘッドプロテクタ６と天井開口４との間に挟持されてヘッドプロテクタ６と天井開口４の周縁との間の間隙８を覆うシーリングプレート９とを備えている。散水偏向装置７は、多数のベーン１０を持つ鎧戸式の偏向板であって、ヘッド本体５から散水された消火用水が天井３の下面に対して僅かに下方に向けられるように傾けられ、等間隔に配置されたヘッドプロテクタ６の６本の支柱１１の間に設けられているので、スプリンクラヘッド６の中心に対して水平面で見て約６０度の角度の範囲内に設けられている。
【０００４】
スプリンクラヘッド１のヘッド本体５は、消火用給水配管のソケット部２によってねじ結合されて支持されていて、円筒フレーム１２の下方に感熱板１３を備えている。感熱板１３が所定温度に達すると図示してないリンク機構部が分解してヘッド本体５のノズル５ａから消火用水が放出される。消火用水はデフレクタ１４に当たって放射状にほぼ一様に水平面内に散水される。ヘッド本体５はその外周部に外ねじ１５を備えていて、この外ねじ１５に散水偏向装置７を備えたヘッドプロテクタ６の内ねじ１６が螺合している。このため、全周に亘って散水された消火用水の一部は散水偏向装置７に当たり、偏向されて図６矢印Ａで示す如く下方に向けられ、隣接のスプリンクラヘッド（図示してない）に当たることがない。
【０００５】
ヘッドプロテクタ６の軸方向の位置は、ねじ１５と１６との相対位置によって決まり、ねじ込み量が大きいと高くなり、ねじ込み量が小さいと低くなる。また、建物の構造材に結合された天井３との間の間隙８は、シーリングプレート９によって閉塞されているが、このシーリングプレート９は天井３の下面とヘッドプロテクタ６との間に挿入されていて、ソケット部２にねじ係合したヘッドプロテクタ６によって天井３の下面にできるだけ近づけられる。従って、ヘッドプロテクタ６の位置は天井３の位置とも関係して、ヘッドプロテクタ６がシーリングプレート９を介して天井３に当接した位置に取り付けられるのが望ましい。
【０００６】
【発明が解決しようとする課題】
しかしながら、このような従来のスプリンクラヘッド１に於いて、組立時にヘッドプロテクタ６をヘッド本体５にねじ込んでいくと、ヘッドプロテクタ６が上昇していくにつれてシーリングプレート９も上昇し、やがて天井３の下面に接触する。この位置でヘッドプロテクタ６に設けた散水偏向装置７が正しく隣接のスプリンクラヘッドの方向に向けられていれば良いが、必ずしもそうなってはおらず、ヘッド本体５上でヘッドプロテクタ６を回転させて天井３に対する接触を緩めて散水偏向装置７の方向を調整する必要があるのが普通である。また、支柱11から散水偏向装置7を取り外して、所定の支柱11間に取り付け直す場合もある。このような回転による調整をしたときには当然に、天井３に対するヘッドプロテクタ６およびシーリングプレート９の係合関係あるいは当接関係が緩くなり、あるいは離間してしまって、ヘッドプロテクタ６は天井３に対してほぼ自由に回転し得る状態になってしまう。
【０００７】
従って、このように構成されたスプリンクラヘッド１に於いては、スプリンクラヘッド１の設置工事中あるいは設置後の他の設備の設置工事中に物が衝突したりしてヘッドプロテクタ６がヘッド本体５に対して回転してしまうことがある。また、スプリンクラヘッド１の作動時の消火用水の強力な噴流によってヘッドプロテクタ６がヘッド本体５に対して回転してしまうことがある。このような回転が生ずると散水偏向装置７の水平面内の方向が最初の調整からずれてしまい、隣接のスプリンクラヘッドに消火用水がかけられてしまい、その作動を妨げることがある。
【０００８】
従ってこの発明の目的は、スプリンクラヘッドの散水偏向装置の向きの調整が容易であり、一旦調整した向きが容易には変化しないで、散水偏向装置の所期の機能を維持できるスプリンクラヘッドを提供することである。
【０００９】
【課題を解決するための手段】
この発明によれば、消火用給水配管のソケット部に接続されて、部屋の天井に設けられた天井開口から室内に望むヘッド本体と、ヘッド本体にねじ係合してヘッド本体を外力から保護するヘッドプロテクタと、ヘッドプロテクタに設けられて、ヘッド本体からの散水の一部を所定の方向に向ける散水偏向装置と、ヘッドプロテクタと天井開口との間に挟持されてヘッドプロテクタと天井開口の周縁との間の間隙を覆うシーリングプレートとを備えたスプリンクラヘッドに於いて、シーリングプレートとヘッドプロテクタとの間に弾性体を設けて、ヘッドプロテクタのヘッド本体あるいはシーリングプレートに対する移動を防ぎ、もって散水偏向装置の向きの変化を防いだことを特徴とするスプリンクラヘッドが得られる。弾性体は、シーリングプレートから一体に延びた片持ちバネあるいはヘッド本体を囲むばね座金で良い。また、散水偏向装置は、ヘッドプロテクタに対して固着された別体部品とすると良い。
【００１０】
【発明の実施の形態】
図１にはこの発明のスプリンクラヘッド２１を示す。図に於いて、スプリンクラヘッド２１の全体的構成は図６に示す従来のスプリンクラヘッド１とほぼ同じであり、シーリングプレート２２が相違するだけである。従って、ここではすなわち、図１乃至図５において、この発明によるシーリングプレート２２は天井３の下面とヘッドプロテクタ６との間に挿入されていてるほぼ環状の部材であり、ほぼＶ字型の断面のフレーム部２３と、フレーム部２３から内側に延びたフランジ２４とを備えている。図４および図５によく示されている如く、フランジ２４には切り込み２５を入れてフランジ２４の一部を、ヘッドプロテクタ９を取り付ける側に向かって引き起こしたかの如き形状にされており、フランジ２４から周方向に斜めに延びた片持ち式の板ばね２６が一体に設けられている。この板ばね２６はシーリングプレート２２の周方向に等間隔に３本設けられていて、フランジ２４の平面から立ち上がって、スプリンクラヘッドが組み立てられたときには、その先端部分２７でヘッドプロテクタ６に接触している。このように、この板ばね２６は、シーリングプレート２２とヘッドプロテクタ６との間に設けられた弾性体７であって、ヘッドプロテクタ６のヘッド本体５あるいはシーリングプレート２２に対する偶発的な移動を防ぎ、もって散水偏向装置７の向きの変化を防ぐものであるということができる。
【００１１】
従って、このような本発明のスプリンクラヘッド２１に於いては、消火用給水配管のソケット部２にねじ込まれたヘッド本体５にねじ係合によりヘッドプロテクタ６を取り付ける。ヘッドプロテクタ６を取り付けるべき位置は、充分な螺合距離が得られ、ヘッドプロテクタ６上に乗せられたシーリングプレート２２が天井３下面に充分近い位置となり、なおかつヘッドプロテクタ６の散水偏向装置７が正しい方向に向けられた位置である。
【００１２】
組立時にヘッド本体５にねじ込まれたヘッドプロテクタ６をヘッド本体５にねじ込んでいくと、ヘッドプロテクタ６が上昇していくにつれてシーリングプレート２２も上昇し、やがて天井３の下面に接触する。この位置でヘッドプロテクタ６に設けた散水偏向装置７が正しく隣接のスプリンクラヘッド（図示してない）の方向に向けられていれば良いが、普通は必ずしもそうなってはおらず、ヘッド本体５上でヘッドプロテクタ６を回転させて天井３に対する接触を緩めて散水偏向装置７の水平面内の方向を調整する必要があるのが普通である。
【００１３】
本発明によれば、このような回転による調整をしたときにも、ヘッドプロテクタ６とシーリングプレート２２との間に設けられた弾性体２６ために、天井３に対するヘッドプロテクタ６およびシーリングプレート２２の係合関係あるいは当接関係が軸方向に弾性的に押圧され合ったものとなり、それらの間に摩擦力が発生するために、比較的大きな或る一定の力を加えない限りヘッドプロテクタ６が天井３に対して回転してしまうことがない。
【００１４】
図示の散水偏向装置７は、図１および図２から明らかな如く、ヘッドプロテクタ６とは別個の部品として作られており、ヘッドプロテクタ６の支柱１１とリング２７との間にスナップ式に嵌合あるいは接着剤により固着されている。散水偏向装置７は全体としてほぼ矩形の枠の中に複数の偏向ベーン２９を備えたものである。
【００１５】
このように、散水偏向装置７は、ヘッドプロテクタ６に対して固着された別体部品であるので、ヘッドプロテクタ６をヘッド本体５にねじ係合により取り付けた後、最も適当な位置にある２本の支柱１１を選択してその間に取り付けることができ、取り付け作業がより容易になる。またねじ係合による取り付け後には、支柱１１が不適当な位置になった場合でも、ヘッドプロテクタ６を回転させねばならない角度が少なくてすみ、最適のねじ係合取り付け位置からの回転によるずれの量が少なくなる。更に、同じ部屋の中に他のスプリンクラヘッドが設けられている場合等の散水偏向装置７が必要な場合にも、またスプリンクラヘッドを単独で使用する場合等の散水偏向装置７が不必要な場合にも、共通のヘッドプロテクタ６を使用でき、散水偏向装置７の有無によってヘッドプロテクタ６の制作のための金型を使い分ける必要が無い。
【００１６】
シーリングプレート２２とヘッドプロテクタ６との間に設けた弾性体の別の実施形態として、フランジ２４から一体に延びた片持ちばね２６でなく、シーリングプレート２２のフランジ２４とヘッドプロテクタ６との間に挟持されてヘッド本体５を囲むリング状のばね座金を用いることもできる。この場合、シーリングプレート２２の製造が容易で、散水偏向装置７を用いない場合等、必要に応じて弾性体２６であるばね座金を省略することもできる。
【００１７】
【発明の効果】
以上説明した通り、この発明のスプリンクラヘッドは、消火用給水配管のソケット部に接続されて、部屋の天井に設けられた天井開口から室内に望むヘッド本体と、ヘッド本体にねじ係合してヘッド本体を外力から保護するヘッドプロテクタと、ヘッドプロテクタに設けられて、ヘッド本体からの散水の一部を所定の方向に向ける散水偏向装置と、ヘッドプロテクタと天井開口との間に挟持されてヘッドプロテクタと天井開口の周縁との間の間隙を覆うシーリングプレートとを備えたスプリンクラヘッドに於いて、シーリングプレートとヘッドプロテクタとの間に弾性体を設けて、ヘッドプロテクタのヘッド本体あるいはシーリングプレートに対する移動を防ぎ、もって散水偏向装置の向きの変化を防いだものである。弾性体は、シーリングプレートから一体に延びた片持ちバネあるいは上記ヘッド本体を囲むばね座金で良い。
【００１８】
従って、このように構成されたスプリンクラヘッドに於いては、ヘッドプロテクタが弾性力により押圧されていて摩擦力により保持されているので、スプリンクラの設置工事中あるいは設置後の何らかの作用力を受けても、また、スプリンクラ作動時の消火用水の強力な噴流の衝撃を受けても、ヘッドプロテクタがヘッド本体に対して容易には回転しない。このため、散水偏向装置の方向が最初の調整からずれてしまい、隣接のスプリンクラヘッドに散水がかけられてしまうようなことがない。このように、スプリンクラヘッドの散水偏向装置の向きの調整が容易であり、一旦調整した向きが容易には変化しないで、散水偏向装置の所期の機能を維持できるスプリンクラヘッドが得られる。また弾性体を一体の片持ちバネとすれば部品点数を増やさずにすみ、組立が確実容易であり、ヘッド本体を囲むばね座金とすれば、シーリングプレートの製造が容易で必要に応じて弾性体を省略することもできる。
【００１９】
更に、散水偏向装置は、ヘッドプロテクタに対して固着された別体部品とすれば、ヘッドプロテクタをヘッド本体に取り付けた後、最も適当な位置にある２本の支柱を選択してその間に取り付けることができ、取り付け作業がより容易になる。また、散水偏向装置が必要な場合にも不必要な場合にも共通のヘッドプロテクタを使用でき、散水偏向装置の有無によって金型を使い分ける必要が無い。
【図面の簡単な説明】
【図１】  本発明のスプリンクラヘッドを天井に取り付けた状態を示す側面断面図である。
【図２】  図１のスプリンクラヘッドの正面図である。
【図３】  図１のスプリンクラヘッドの底面図である。
【図４】  本発明のスプリンクラヘッドのシーリングプレートを示す側面断面図である。
【図５】  図４のシーリングプレートの平面図である。
【図６】  従来のスプリンクラヘッドの側面断面図である。
【符号の説明】
１  スプリンクラヘッド、２  ソケット部、３  天井、４  天井開口、５  ヘッド本体、６  ヘッドプロテクタ、７  散水偏向装置、２２  シーリングプレート、１  スプリンクラヘッド、２６  弾性体。
【図１】
0003805130.tif 000002
【図２】
0003805130.tif 000003
【図３】
0003805130.tif 000004
【図４】
0003805130.tif 000005
【図５】
0003805130.tif 000006
【図６】
0003805130.tif 000007